(57)【特許請求の範囲】
【請求項１】
音声による通話機能を有する端末と、前記端末の呼を制御する呼制御装置と、前記端末の音声トラヒックを管理するトラヒック管理装置とをコネクションレス型ネットワークを介して接続してなる音声トラヒック帯域保証システムにおいて、
前記呼制御装置は、
発信者識別情報または着信者識別情報あるいはその両方に対応付けてコーディック種別の情報を記憶する記憶手段と、
前記端末から発信者識別情報及び着信者識別情報を受信し、発呼要求を受け付ける発呼要求受信手段と、
前記発呼要求受信手段が受信した発信者識別情報または着信者識別情報あるいはその両方を用いて前記記憶手段からコーディック種別の情報を読み出す検索手段と、
前記発呼要求受信手段が受信した着信者識別情報で識別される着端末のアドレスと、前記検索手段が読み出したコーディック種別とを、前記発呼要求の送信元端末である発端末のアドレスと共に前記トラヒック管理装置へ通知し、当該呼の音声トラヒックへの伝送帯域の割当可否を問い合わせる割当可否問合せ手段と、
前記割当可否問合せ手段による問い合わせに対応して、前記トラヒック管理装置から割当可能を受信した時、前記発端末及び着端末の呼を確立する呼確立手段と、
前記発端末又は前記着端末から呼の開放の要求を受信し、呼を開放するとともに、前記トラヒック管理装置へ通知する切断通知手段とを具備し、
前記トラヒック管理装置は、
前記コネクションレスネットワーク内の伝送経路を記憶する第１の記憶手段と、
伝送経路に対して音声トラヒックに使用可能な伝送帯域及び使用中の伝送帯域を記憶する第２の記憶手段と、
前記呼制御装置から発端末及び着端末のアドレスと、コーディック種別とを受信し、受信した発端末及び着端末のアドレスと、前記第１の記憶手段とを基に音声トラヒックの伝送経路を算出する伝送経路算出手段と、
前記伝送経路算出手段が受信したコーディック種別から当該呼の音声トラヒックに必要な伝送帯域を求め、前記伝送経路算出手段が算出した伝送経路及び前記第２の記憶手段を基に、求めた伝送帯域の割当可否を判断する割当可否判断手段と、
前記割当可否判断手段が割当可能と判断した場合は、前記第２の記憶手段内に記憶している使用中の伝送帯域に当該呼が使用する音声トラヒックの伝送帯域を加算して書き込むとともに、前記呼制御装置へ割当可能を通知する割当可否通知手段と、
前記呼制御装置から切断の通知を受信し、前記第２の記憶手段内に記憶している使用中の伝送帯域から当該呼が使用していた音声トラヒックの伝送帯域を減算して書き込む伝送帯域書込手段と、
を備えることを特徴とする音声トラヒック帯域保証システム。
【請求項２】
前記呼制御装置は、前記割当可否問合せ手段による問い合わせに対応して、前記トラヒック管理装置から割当不可を受信した時、前記発端末へ呼の確立の拒否を通知する呼確立拒否通知手段を具備し、
前記割当可否通知手段は、前記割当可否通知手段が割当不可と判断した場合は、前記呼制御装置へ割当不可を通知する、
ことを特徴とする請求項１に記載の帯域保証システム。
【請求項３】
音声による通話機能を有する端末と、前記端末の呼を制御する呼制御装置と、前記端末の音声トラヒックを管理するトラヒック管理装置とをコネクションレス型ネットワークを介して接続してなる音声トラヒック帯域保証システムにおいて、
前記呼制御装置が、前記端末から発信者識別情報及び着信者識別情報を受信し、発呼要求を受け付け、発信者識別情報または着信者識別情報あるいはその両方に対応付けてコーディック種別の情報を記憶する記憶手段から、受信した発信者識別情報または着信者識別情報あるいはその両方を用いてコーディック種別の情報を読み出し、受信した前記着信者識別情報で識別される着端末のアドレスと、前記記憶手段から読み出したコーディック種別とを、前記発呼要求の送信元端末である発端末のアドレスと共に前記トラヒック管理装置へ通知し、当該呼の音声トラヒックへの伝送帯域の割当可否を問い合わせ、
前記トラヒック管理装置が、前記呼制御装置から発端末及び着端末のアドレスと、コーディック種別とを受信し、受信した発端末及び着端末のアドレスと、内部に記憶している前記コネクションレスネットワーク内の伝送経路とを基に音声トラヒックの伝送経路を算出し、受信したコーディック種別から当該呼の音声トラヒックに必要な伝送帯域を求め、算出した前記伝送経路と、内部に記憶され、伝送経路に対して音声トラヒックに使用可能な伝送帯域及び使用中の伝送帯域を示す情報を基に当該呼の音声トラヒックへの求めた伝送帯域の割当可否を判断し、割当可能と判断した場合は、内部に記憶している使用中の伝送帯域に当該呼が使用する音声トラヒックの伝送帯域を加算して書き込むとともに、前記呼制御装置へ割当可能を通知し、
前記呼制御装置が、前記音声トラヒックへの伝送帯域の割当可否の問い合わせに対応して、前記トラヒック管理装置から伝送帯域の割当可能を受信して、前記発端末及び着端末の呼を確立し、前記発端末又は前記着端末から呼の開放の要求を受信した時は、呼を開放するとともに、前記トラヒック管理装置へ呼の開放を通知し、
前記トラヒック管理装置が、前記呼制御装置から切断の通知を受信し、内部に記憶している使用中の伝送帯域から当該呼が使用していた音声トラヒックの伝送帯域を減算して書き込む、
ことを特徴とする音声トラヒック帯域保証方法。
【請求項４】
前記トラヒック管理装置が、当該呼の音声トラヒックへの伝送帯域を割当不可と判断した場合は、前記呼制御装置へ割当不可を通知し、
前記呼制御装置が、前記音声トラヒックへの伝送帯域の割当可否の問い合わせに対応して、前記トラヒック管理装置から伝送帯域の割当不可を受信して、前記発端末へ呼の確立の拒否を通知する、
ことを特徴とする請求項３に記載の音声トラヒック帯域保証方法。
【請求項５】
音声による通話機能を有する端末及び前記端末のコネクションレス型ネットワーク上の音声トラヒックを管理するトラヒック管理装置と接続される呼制御装置において、
発信者識別情報または着信者識別情報あるいはその両方に対応付けてコーディック種別の情報を記憶する記憶手段と、
前記端末から発信者識別情報及び着信者識別情報を受信し、発呼要求を受け付ける発呼要求受信手段と、
前記発呼要求受信手段が受信した発信者識別情報または着信者識別情報あるいはその両方を用いて前記記憶手段からコーディック種別の情報を読み出す検索手段と、
前記発呼要求受信手段が受信した着信者識別情報で識別される着端末のアドレスと、前記検索手段が読み出したコーディック種別とを、前記発呼要求の送信元端末である発端末のアドレスと共に前記トラヒック管理装置へ通知し、当該呼の音声トラヒックへの伝送帯域の割当可否を問い合わせる割当可否問合せ手段と、
前記割当可否問合せ手段による問い合わせに対応して、前記トラヒック管理装置から割当可能を受信した時、前記発端末及び着端末の呼を確立する呼確立手段と、
前記発端末又は前記着端末から呼の開放の要求を受信し、呼を開放するとともに、前記トラヒック管理装置へ通知する切断通知手段と、
前記割当可否問合せ手段による問い合わせに対応して、前記トラヒック管理装置から割当不可を受信した時、前記発端末へ呼の確立の拒否を通知する呼確立拒否通知手段と、
を備えることを特徴とする呼制御装置。
【請求項６】
コネクションレスネットワーク上の呼を制御する呼制御装置と接続されるトラヒック管理装置であって、
コネクションレスネットワーク内の伝送経路を記憶する第１の記憶手段と、
伝送経路に対して音声トラヒックに使用可能な伝送帯域及び使用中の伝送帯域を記憶する第２の記憶手段と、
前記呼制御装置から、発端末及び着端末のアドレスと、コーディック種別とを受信し、受信した発端末及び着端末のアドレスと、前記第１の記憶手段とを基に音声トラヒックの伝送経路を算出する伝送経路算出手段と、
前記伝送経路算出手段が受信したコーディック種別から当該呼の音声トラヒックに必要な伝送帯域を求め、前記伝送経路算出手段が算出した伝送経路及び前記第２の記憶手段を基に、当該呼の音声トラヒックへの求めた伝送帯域の割当可否を判断する割当可否判断手段と、
前記割当可否判断手段が割当可能と判断した場合は、前記第２の記憶手段内に記憶している使用中の伝送帯域に当該呼が使用する音声トラヒックの伝送帯域を加算して書き込むとともに、前記呼制御装置へ割当可能を通知し、前記割当可否通知手段が割当不可と判断した場合は、前記呼制御装置へ割当不可を通知する割当可否通知手段と、
前記呼制御装置から切断の通知を受信し、前記第２の記憶手段内に記憶している使用中の伝送帯域から当該呼が使用していた音声トラヒックの伝送帯域を減算して書き込む伝送帯域書込手段と、
を備えることを特徴とするトラヒック管理装置。
【請求項７】
音声による通話機能を有する端末及び前記端末のコネクションレス型ネットワーク上の音声トラヒックを管理するトラヒック管理装置と接続される呼制御装置上で実行されるコンピュータプログラムであって、
前記端末から発信者識別情報及び着信者識別情報を受信し、発呼要求を受け付けるステップと、
発信者識別情報または着信者識別情報あるいはその両方に対応付けてコーディック種別の情報を記憶する記憶手段から、受信した発信者識別情報または着信者識別情報あるいはその両方を用いてコーディック種別の情報を読み出すステップと、
受信した前記着信者識別情報で識別される着端末のアドレスと、前記記憶手段から読み出したコーディック種別とを、前記発呼要求の送信元端末である発端末のアドレスと共に前記トラヒック管理装置へ通知し、当該呼の音声トラヒックへの伝送帯域の割当可否を問い合わせるステップと、
前記音声トラヒックへの伝送帯域の割当可否の問い合わせに対応して、前記トラヒック管理装置から伝送帯域の割当可能を受信した時、前記発端末及び着端末の呼を確立するステップと、
前記発端末又は前記着端末から呼の開放の要求を受信し、呼を開放するとともに、前記トラヒック管理装置へ呼の開放を通知するステップと、
前記音声トラヒックへの伝送帯域の割当可否の問い合わせに対応して、前記トラヒック管理装置から伝送帯域の割当不可を受信した時、前記発端末へ呼の確立の拒否を通知するステップと、
をコンピュータに実行させるための呼制御装置のコンピュータプログラム。
【請求項８】
コネクションレスネットワーク上の呼を制御する呼制御装置と接続されるトラヒック管理装置上で実行されるコンピュータプログラムであって、
前記呼制御装置から発端末及び着端末のアドレスと、コーディック種別とを受信し、受信した発端末及び着端末のアドレスと、内部に記憶している前記コネクションレスネットワーク内の伝送経路とを基に音声トラヒックの伝送経路を算出するステップと、
受信したコーディック種別から当該呼の音声トラヒックに必要な伝送帯域を求めるステップと、
算出した前記伝送経路と、内部に記憶され、伝送経路に対して音声トラヒックに使用可能な伝送帯域及び使用中の伝送帯域を示す情報を基に当該呼の音声トラヒックへの求めた伝送帯域の割当可否を判断するステップと、
割当可能と判断した場合は、内部に記憶している使用中の伝送帯域に当該呼が使用する音声トラヒックの伝送帯域を加算して書き込むとともに、前記呼制御装置へ割当可能を通知するステップと、
割当不可と判断した場合は、前記呼制御装置へ割当不可を通知するステップと、
前記呼制御装置から切断の通知を受信し、内部に記憶している使用中の伝送帯域から当該呼が使用していた音声トラヒックの伝送帯域を減算して書き込むステップと、
をコンピュータに実行させるためのトラヒック管理装置のコンピュータプログラム。
【請求項９】
音声による通話機能を有する端末及び前記端末のコネクションレス型ネットワーク上の音声トラヒックを管理するトラヒック管理装置と接続される呼制御装置上で実行されるコンピュータプログラムを記緑したコンピュータ読み取り可能な記録媒体であって、
前記端末から発信者識別情報及び着信者識別情報を受信し、発呼要求を受け付けるステップと、
発信者識別情報または着信者識別情報あるいはその両方に対応付けてコーディック種別の情報を記憶する記憶手段から、受信した発信者識別情報または着信者識別情報あるいはその両方を用いてコーディック種別の情報を読み出すステップと、
受信した前記着信者識別情報で識別される着端末のアドレスと、前記記憶手段から読み出したコーディック種別とを、前記発呼要求の送信元端末である発端末のアドレスと共に前記トラヒック管理装置へ通知し、当該呼の音声トラヒックへの伝送帯域の割当可否を問い合わせるステップと、
前記音声トラヒックへの伝送帯域の割当可否の問い合わせに対応して、前記トラヒック管理装置から伝送帯域の割当可能を受信した時、前記発端末及び着端末の呼を確立するステップと、
前記発端末又は前記着端末から呼の開放の要求を受信し、呼を開放するとともに、前記トラヒック管理装置へ呼の開放を通知するステップと、
前記音声トラヒックへの伝送帯域の割当可否の問い合わせに対応して、前記トラヒック管理装置から伝送帯域の割当不可を受信した時、前記発端末へ呼の確立の拒否を通知するステップと、
の各処理をコンピュータに実行させる呼制御装置上のプログラムを記録する記録媒体。
【請求項１０】
コネクションレスネットワーク上の呼を制御する呼制御装置と接続されるトラヒック管理装置上で実行されるコンピュータプログラムを記緑したコンピュータ読み取り可能な記録媒体であって、
前記呼制御装置から発端末及び着端末のアドレスと、コーディック種別とを受信し、受信した発端末及び着端末のアドレスと、内部に記憶している前記コネクションレスネットワーク内の伝送経路とを基に音声トラヒックの伝送経路を算出するステップと、
受信したコーディック種別から当該呼の音声トラヒックに必要な伝送帯域を求めるステップと、
算出した前記伝送経路と、内部に記憶され、伝送経路に対して音声トラヒックに使用可能な伝送帯域及び使用中の伝送帯域を示す情報を基に当該呼の音声トラヒックへの求めた伝送帯域の割当可否を判断するステップと、
割当可能と判断した場合は、内部に記憶している使用中の伝送帯域に当該呼が使用する音声トラヒックの伝送帯域を加算して書き込むとともに、前記呼制御装置へ割当可能を通知するステップと、
割当不可と判断した場合は、前記呼制御装置へ割当不可を通知するステップと、
前記呼制御装置から切断の通知を受信し、内部に記憶している使用中の伝送帯域から当該呼が使用していた音声トラヒックの伝送帯域を減算して書き込むステップと、
の各処理をコンピュータに実行させるトラヒック管理装置上のプログラムを記録する記録媒体。
【発明の詳細な説明】
【０００１】
【発明の属する技術分野】
本発明は、コネクションレスネットワーク上の音声トラヒックの伝送帯域を保証する音声トラヒック帯域保証システム、音声トラヒック帯域保証方法、呼制御装置及びトラヒック管理装置ならびにプログラムに関する。
【０００２】
【従来の技術】
近年、ＩＰ（Internet Protocol）を利用した通信トラヒックは急激に増加しており、それに伴い、ＩＰを利用した電話サービスであるＶｏＩＰ（Voice over IP）も実現されてきている。しかし、本来ＩＰはベストエフォート型の通信プロトコルであり、ＩＰネットワーク上で伝送されるパケットのリアルタイム性は必ずしも保証されていない。一方、ＶｏＩＰで伝送される音声パケットには伝送品質が要求され、伝送遅延やパケットの欠落をできるだけ少なくする必要がある。そこで、ＩＰネットワークにおける音声パケットの伝送帯域を保証したいという要求がある。
【０００３】
【発明が解決しようとする課題】
しかし従来、ＩＰネットワーク上のＩＰパケットのルーチングは、ＩＰネットワークを構成するルータなどにより行われており、ＶｏＩＰの呼制御機能とは独立に動作していた。よって、ＶｏＩＰの呼制御機能は、ＩＰパケットの通過ルートの特定や伝送帯域の管理ができないために、音声トラヒックの伝送帯域の保証が困難であった。
本発明は、このような事情を考慮してなされたもので、その目的は、ＩＰネットワークのようなコネクションレスネットワーク上の音声トラヒックの伝送帯域を保証する音声トラヒック帯域保証システム及び音声トラヒック帯域保証方法を提供することにある。
【０００４】
【課題を解決するための手段】
この発明は、上記の課題を解決すべくなされたもので、請求項１に記載の発明は、音声による通話機能を有する端末と、前記端末の呼を制御する呼制御装置と、前記端末の音声トラヒックを管理するトラヒック管理装置とをコネクションレス型ネットワークを介して接続してなる音声トラヒック帯域保証システムにおいて、前記呼制御装置は、発信者識別情報または着信者識別情報あるいはその両方に対応付けてコーディック種別の情報を記憶する記憶手段と、前記端末から発信者識別情報及び着信者識別情報を受信し、発呼要求を受け付ける発呼要求受信手段と、前記発呼要求受信手段が受信した発信者識別情報または着信者識別情報あるいはその両方を用いて前記記憶手段からコーディック種別の情報を読み出す検索手段と、前記発呼要求受信手段が受信した着信者識別情報で識別される着端末のアドレスと、前記検索手段が読み出したコーディック種別とを、前記発呼要求の送信元端末である発端末のアドレスと共に前記トラヒック管理装置へ通知し、当該呼の音声トラヒックへの伝送帯域の割当可否を問い合わせる割当可否問合せ手段と、前記割当可否問合せ手段による問い合わせに対応して、前記トラヒック管理装置から割当可能を受信した時、前記発端末及び着端末の呼を確立する呼確立手段と、前記発端末又は前記着端末から呼の開放の要求を受信し、呼を開放するとともに、前記トラヒック管理装置へ通知する切断通知手段とを具備し、前記トラヒック管理装置は、前記コネクションレスネットワーク内の伝送経路を記憶する第１の記憶手段と、伝送経路に対して音声トラヒックに使用可能な伝送帯域及び使用中の伝送帯域を記憶する第２の記憶手段と、前記呼制御装置から発端末及び着端末のアドレスと、コーディック種別とを受信し、受信した発端末及び着端末のアドレスと、前記第１の記憶手段をと基に音声トラヒックの伝送経路を算出する伝送経路算出手段と、前記伝送経路算出手段が受信したコーディック種別から当該呼の音声トラヒックに必要な伝送帯域を求め、前記伝送経路算出手段が算出した伝送経路及び前記第２の記憶手段を基に、求めた当該呼の音声トラヒックへの伝送帯域の割当可否を判断する割当可否判断手段と、前記割当可否判断手段が割当可能と判断した場合は、前記第２の記憶手段内に記憶している使用中の伝送帯域に当該呼が使用する音声トラヒックの伝送帯域を加算して書き込むとともに、前記呼制御装置へ割当可能を通知する割当可否通知手段と、前記呼制御装置から切断の通知を受信し、前記第２の記憶手段内に記憶している使用中の伝送帯域から当該呼が使用していた音声トラヒックの伝送帯域を減算して書き込む伝送帯域書込手段と、を備えることを特徴とする音声トラヒック帯域保証システムである。
【０００５】
請求項２に記載の発明は、請求項１に記載の帯域保証システムであって、前記呼制御装置は、前記割当可否問合せ手段による問い合わせに対応して、前記トラヒック管理装置から割当不可を受信した時、前記発端末へ呼の確立の拒否を通知する呼確立拒否通知手段を具備し、前記割当可否通知手段は、前記割当可否通知手段が割当不可と判断した場合は、前記呼制御装置へ割当不可を通知する、ことを特徴とする。
【０００６】
請求項３に記載の発明は、音声による通話機能を有する端末と、前記端末の呼を制御する呼制御装置と、前記端末の音声トラヒックを管理するトラヒック管理装置とをコネクションレス型ネットワークを介して接続してなる音声トラヒック帯域保証システムにおいて、前記呼制御装置が、前記端末から発信者識別情報及び着信者識別情報を受信し、発呼要求を受け付け、発信者識別情報または着信者識別情報あるいはその両方に対応付けてコーディック種別の情報を記憶する記憶手段から、受信した発信者識別情報または着信者識別情報あるいはその両方を用いてコーディック種別の情報を読み出し、受信した前記着信者識別情報で識別される着端末のアドレスと、前記記憶手段から読み出したコーディック種別とを、前記発呼要求の送信元端末である発端末のアドレスと共に前記トラヒック管理装置へ通知し、当該呼の音声トラヒックへの伝送帯域の割当可否を問い合わせ、前記トラヒック管理装置が、前記呼制御装置から発端末及び着端末のアドレスと、コーディック種別とを受信し、受信した発端末及び着端末のアドレスと、内部に記憶している前記コネクションレスネットワーク内の伝送経路とを基に音声トラヒックの伝送経路を算出し、受信したコーディック種別から当該呼の音声トラヒックに必要な伝送帯域を求め、算出した前記伝送経路と、内部に記憶され、伝送経路に対して音声トラヒックに使用可能な伝送帯域及び使用中の伝送帯域を示す情報を基に当該呼の音声トラヒックへの求めた伝送帯域の割当可否を判断し、割当可能と判断した場合は、内部に記憶している使用中の伝送帯域に当該呼が使用する音声トラヒックの伝送帯域を加算して書き込むとともに、前記呼制御装置へ割当可能を通知し、前記呼制御装置が、前記音声トラヒックへの伝送帯域の割当可否の問い合わせに対応して、前記トラヒック管理装置から伝送帯域の割当可能を受信して、前記発端末及び着端末の呼を確立し、前記発端末又は前記着端末から呼の開放の要求を受信した時は、呼を開放するとともに、前記トラヒック管理装置へ呼の開放を通知し、前記トラヒック管理装置が、前記呼制御装置から切断の通知を受信し、内部に記憶している使用中の伝送帯域から当該呼が使用していた音声トラヒックの伝送帯域を減算して書き込む、ことを特徴とする音声トラヒック帯域保証方法である。
【０００７】
請求項４に記載の発明は、請求項３に記載の音声トラヒック帯域保証方法であって、前記トラヒック管理装置が、当該呼の音声トラヒックへの伝送帯域を割当不可と判断した場合は、前記呼制御装置へ割当不可を通知し、前記呼制御装置が、前記音声トラヒックへの伝送帯域の割当可否の問い合わせに対応して、前記トラヒック管理装置から伝送帯域の割当不可を受信して、前記発端末へ呼の確立の拒否を通知する、ことを特徴とする。
【０００８】
請求項５に記載の発明は、音声による通話機能を有する端末及び前記端末のコネクションレス型ネットワーク上の音声トラヒックを管理するトラヒック管理装置と接続される呼制御装置において、発信者識別情報または着信者識別情報あるいはその両方に対応付けてコーディック種別の情報を記憶する記憶手段と、前記端末から発信者識別情報及び着信者識別情報を受信し、発呼要求を受け付ける発呼要求受信手段と、前記発呼要求受信手段が受信した発信者識別情報または着信者識別情報あるいはその両方を用いて前記記憶手段からコーディック種別の情報を読み出す検索手段と、前記発呼要求受信手段が受信した着信者識別情報で識別される着端末のアドレスと、前記検索手段が読み出したコーディック種別とを、前記発呼要求の送信元端末である発端末のアドレスと共に前記トラヒック管理装置へ通知し、当該呼の音声トラヒックへの伝送帯域の割当可否を問い合わせる割当可否問合せ手段と、前記割当可否問合せ手段による問い合わせに対応して、前記トラヒック管理装置から割当可能を受信した時、前記発端末及び着端末の呼を確立する呼確立手段と、前記発端末又は前記着端末から呼の開放の要求を受信し、呼を開放するとともに、前記トラヒック管理装置へ通知する切断通知手段と、前記割当可否問合せ手段による問い合わせに対応して、前記トラヒック管理装置から割当不可を受信した時、前記発端末へ呼の確立の拒否を通知する呼確立拒否通知手段と、を備えることを特徴とする呼制御装置である。
【０００９】
請求項６に記載の発明は、コネクションレスネットワーク上の呼を制御する呼制御装置と接続されるトラヒック管理装置であって、コネクションレスネットワーク内の伝送経路を記憶する第１の記憶手段と、伝送経路に対して音声トラヒックに使用可能な伝送帯域及び使用中の伝送帯域を記憶する第２の記憶手段と、前記呼制御装置から発端末及び着端末のアドレスと、コーディック種別とを受信し、受信した発端末及び着端末のアドレスと、前記第１の記憶手段とを基に音声トラヒックの伝送経路を算出する伝送経路算出手段と、前記伝送経路算出手段が受信したコーディック種別から当該呼の音声トラヒックに必要な伝送帯域を求め、前記伝送経路算出手段が算出した伝送経路及び前記第２の記憶手段を基に、当該呼の音声トラヒックへの求めた伝送帯域の割当可否を判断する割当可否判断手段と、前記割当可否判断手段が割当可能と判断した場合は、前記第２の記憶手段内に記憶している使用中の伝送帯域に当該呼が使用する音声トラヒックの伝送帯域を加算して書き込むとともに、前記呼制御装置へ割当可能を通知し、前記割当可否通知手段が割当不可と判断した場合は、前記呼制御装置へ割当不可を通知する割当可否通知手段と、前記呼制御装置から切断の通知を受信し、前記第２の記憶手段内に記憶している使用中の伝送帯域から当該呼が使用していた音声トラヒックの伝送帯域を減算して書き込む伝送帯域書込手段と、を備えることを特徴とするトラヒック管理装置である。
【００１０】
請求項７に記載の発明は、音声による通話機能を有する端末及び前記端末のコネクションレス型ネットワーク上の音声トラヒックを管理するトラヒック管理装置と接続される呼制御装置上で実行されるコンピュータプログラムであって、前記端末から発信者識別情報及び着信者識別情報を受信し、発呼要求を受け付けるステップと、発信者識別情報または着信者識別情報あるいはその両方に対応付けてコーディック種別の情報を記憶する記憶手段から、受信した発信者識別情報または着信者識別情報あるいはその両方を用いてコーディック種別の情報を読み出すステップと、受信した前記着信者識別情報で識別される着端末のアドレスと、前記記憶手段から読み出したコーディック種別とを、前記発呼要求の送信元端末である発端末のアドレスと共に前記トラヒック管理装置へ通知し、当該呼の音声トラヒックへの伝送帯域の割当可否を問い合わせるステップと、前記音声トラヒックへの伝送帯域の割当可否の問い合わせに対応して、前記トラヒック管理装置から伝送帯域の割当可能を受信した時、前記発端末及び着端末の呼を確立するステップと、前記発端末又は前記着端末から呼の開放の要求を受信し、呼を開放するとともに、前記トラヒック管理装置へ呼の開放を通知するステップと、前記音声トラヒックへの伝送帯域の割当可否の問い合わせに対応して、前記トラヒック管理装置から伝送帯域の割当不可を受信した時、前記発端末へ呼の確立の拒否を通知するステップと、をコンピュータに実行させるための呼制御装置のコンピュータプログラムである。
【００１１】
請求項８に記載の発明は、コネクションレスネットワーク上の呼を制御する呼制御装置と接続されるトラヒック管理装置上で実行されるコンピュータプログラムであって、前記呼制御装置から発端末及び着端末のアドレスと、コーディック種別とを受信し、受信した発端末及び着端末のアドレスと、内部に記憶している前記コネクションレスネットワーク内の伝送経路とを基に音声トラヒックの伝送経路を算出するステップと、受信したコーディック種別から当該呼の音声トラヒックに必要な伝送帯域を求めるステップと、算出した前記伝送経路と、内部に記憶され、伝送経路に対して音声トラヒックに使用可能な伝送帯域及び使用中の伝送帯域を示す情報を基に当該呼の音声トラヒックへの求めた伝送帯域の割当可否を判断するステップと、割当可能と判断した場合は、内部に記憶している使用中の伝送帯域に当該呼が使用する音声トラヒックの伝送帯域を加算して書き込むとともに、前記呼制御装置へ割当可能を通知するステップと、割当不可と判断した場合は、前記呼制御装置へ割当不可を通知するステップと、前記呼制御装置から切断の通知を受信し、内部に記憶している使用中の伝送帯域から当該呼が使用していた音声トラヒックの伝送帯域を減算して書き込むステップと、をコンピュータに実行させるためのトラヒック管理装置のコンピュータプログラムである。
【００１２】
請求項９に記載の発明は、音声による通話機能を有する端末及び前記端末のコネクションレス型ネットワーク上の音声トラヒックを管理するトラヒック管理装置と接続される呼制御装置上で実行されるコンピュータプログラムを記緑したコンピュータ読み取り可能な記録媒体であって、前記端末から発信者識別情報及び着信者識別情報を受信し、発呼要求を受け付けるステップと、発信者識別情報または着信者識別情報あるいはその両方に対応付けてコーディック種別の情報を記憶する記憶手段から、受信した発信者識別情報または着信者識別情報あるいはその両方を用いてコーディック種別の情報を読み出すステップと、受信した前記着信者識別情報で識別される着端末のアドレスと、前記記憶手段から読み出したコーディック種別とを、前記発呼要求の送信元端末である発端末のアドレスと共に前記トラヒック管理装置へ通知し、当該呼の音声トラヒックへの伝送帯域の割当可否を問い合わせるステップと、前記音声トラヒックへの伝送帯域の割当可否の問い合わせに対応して、前記トラヒック管理装置から伝送帯域の割当可能を受信した時、前記発端末及び着端末の呼を確立するステップと、前記発端末又は前記着端末から呼の開放の要求を受信し、呼を開放するとともに、前記トラヒック管理装置へ呼の開放を通知するステップと、前記音声トラヒックへの伝送帯域の割当可否の問い合わせに対応して、前記トラヒック管理装置から伝送帯域の割当不可を受信した時、前記発端末へ呼の確立の拒否を通知するステップと、の各処理をコンピュータに実行させる呼制御装置上のプログラムを記録する記録媒体である。
【００１３】
請求項１０に記載の発明は、コネクションレスネットワーク上の呼を制御する呼制御装置と接続されるトラヒック管理装置上で実行されるコンピュータプログラムを記緑したコンピュータ読み取り可能な記録媒体であって、前記呼制御装置から発端末及び着端末のアドレスと、コーディック種別とを受信し、受信した発端末及び着端末のアドレスと、内部に記憶している前記コネクションレスネットワーク内の伝送経路とを基に音声トラヒックの伝送経路を算出するステップと、受信したコーディック種別から当該呼の音声トラヒックに必要な伝送帯域を求めるステップと、算出した前記伝送経路と、内部に記憶され、伝送経路に対して音声トラヒックに使用可能な伝送帯域及び使用中の伝送帯域を示す情報を基に当該呼の音声トラヒックへの求めた伝送帯域の割当可否を判断するステップと、割当可能と判断した場合は、内部に記憶している使用中の伝送帯域に当該呼が使用する音声トラヒックの伝送帯域を加算して書き込むとともに、前記呼制御装置へ割当可能を通知するステップと、割当不可と判断した場合は、前記呼制御装置へ割当不可を通知するステップと、前記呼制御装置から切断の通知を受信し、内部に記憶している使用中の伝送帯域から当該呼が使用していた音声トラヒックの伝送帯域を減算して書き込むステップと、の各処理をコンピュータに実行させるトラヒック管理装置上のプログラムを記録する記録媒体である。
【００１４】
【発明の実施の形態】
以下、図面を参照し、この発明の実施の形態について説明する。図１は、この発明の一実施の形態によるＶｏＩＰの音声トラヒック帯域保証システムの構成を示すブロック図である。
【００１５】
ＶｏＩＰ（Voice over IP）端末１−１〜１−ｎ（以下、ＶｏＩＰ端末１と記述）は、各種アクセス回線によりコネクションレス型ネットワークであるＩＰネットワークＮへ接続され、ＴＣＰ／ＩＰ（Transmission Control Protocol／Internet Protocol）、ＳＩＰ（Session Initiation Protocol）やＨ．３２３などのＩＰ上の呼制御プロトコル、及び、Ｇ．７１１、Ｇ７２３．１、Ｇ．７２９などの、音声をＩＰデータに変換するためのコーディックを実装する。そして、ＶｏＩＰ呼制御装置４の指示により、ＩＰ上の音声通信を行う。
【００１６】
ＩＰルータ２−１、２−２、２−３、２−４（以下、ＩＰルータ２と記述）は、エンドユーザと直接接続されるアクセスルータ、あるいは、アクセスルータを集線するエッジルータなどの一般的なルータであり、ＴＣＰ／ＩＰを実装し、コアルータ３−１及び３−２と合わせてＩＰネットワークＮを構成する。ＩＰルータ２は、受信したＩＰパケットの宛先ＩＰアドレスから、次にどのノードへＩＰパケットを送信したらよいかを決定するルーチングテーブルを記憶し、ルーチングテーブルに基づいてＩＰパケットを中継する機能を備える。なお、ノードとは、図１における各ブロック１−１〜１−ｎ、２−１〜２−４、３−１、３−２、４、及び、５である。
【００１７】
コアルータ３−１及び３−２（以下、コアルータ３と記述）は、大規模なネットワークの基幹ネットワークを構成するための一般的なルータであり、ＩＰルータ２より伝送帯域が大容量である他は、ＩＰルータ２と同様の機能を有する。
【００１８】
ＶｏＩＰ呼制御装置４は、ＩＰネットワークＮと接続され、ＴＣＰ／ＩＰ、ＳＩＰやＨ．３２３などのＩＰ上の呼制御プロトコルを実装する。また、各ＶｏＩＰ端末１の使用するコーディック種別などからなる契約情報を記憶するデータベースと、着信者を識別するための着信者識別情報から、着ＶｏＩＰ端末１のＩＰアドレスを変換するためのデータベースを保有し、ＶｏＩＰ端末１と呼の制御のための信号を送受信して、呼を確立・切断するための呼制御を実施する機能を有する。さらに、Call Admission Controlサーバ（トラヒック管理装置、以下、ＣＡＣサーバと記述）５と接続され、呼の音声トラヒックに割り当てる伝送帯域（リソース）があるかを問い合わせる機能を有する。
【００１９】
ＣＡＣサーバ５は、ＩＰネットワークＮと接続され、ＴＣＰ／ＩＰを実装し、ＶｏＩＰ呼制御装置４と相互動作する。ＣＡＣサーバ５は、内部にＩＰネットワークＮのトポロジ情報と、ＩＰネットワークＮの経路情報と、リンクの帯域管理情報を記憶する。そして、音声トラヒックのための伝送帯域を管理する機能と、ＶｏＩＰ呼制御装置４からの問い合わせを受け、伝送帯域の確保が成功したか否かの結果を通知する機能を有する。
【００２０】
図２を用いて、ＣＡＣサーバ５が記憶しているトポロジ情報、経路情報、及び、リンクの帯域管理情報を説明する。図２は、本実施の形態によるＩＰネットワークＮの構成図である。
図において、コアルータ３−１及びコアルータ３−２が接続され、基幹ネットワークを構成している。コアルータ３−１の配下にはＩＰルータ２−１及びＩＰルータ２−２が接続され、コアルータ３−２の配下にはＩＰルータ２−３及びＩＰルータ２−４が接続されている。ＩＰルータ２の配下にはＶｏＩＰ端末１が接続され、ＩＰルータ２−１の配下にはＶｏＩＰ端末１−１、１−２、１−３が接続されており、それぞれのＩＰアドレスは、IP Address#1、IP Address#2、IP Address#3である。また、ＩＰルータ２−４の配下にはＶｏＩＰ端末１−ｎが接続され、ＩＰアドレスは、IP Address#nである。
そして、ＩＰルータ２及びコアルータ３を物理的に接続する回線を識別するためのLink No.が付与されている。コアルータ３−１とＩＰルータ２−１を接続する物理回線をLink No.1、コアルータ３−１及びＩＰルータ２−２間をLink No.2、コアルータ３−１及びコアルータ３−２間をLink No.3、コアルータ３−２及びＩＰルータ２−３間をLink No.4、コアルータ３−２及びＩＰルータ２−４間をLink No.5とする。
【００２１】
トポロジ情報とは、ＩＰネットワークＮの物理的な接続構成、すなわち、各ＩＰルータ２及びコアルータ３がどのように物理的な回線で接続されているかの構成を示す情報である。例えば、送信元ＩＰルータ２及びコアルータ３と、宛先ＩＰルータ２及びコアルータ３からなるマトリックステーブルに、送信元ルータと宛先ルータが接続されている場合にはLink No.が記憶されるような形式で作成されている。
【００２２】
経路情報は、あるＶｏＩＰ端末１から音声パケットが送出された場合、その音声パケットが宛先のＶｏＩＰ端末１へ到達するまでに通過するＩＰルータ２及びコアルータ３を示す。経路情報は、例えば、発ＩＰアドレス（IP Address#1〜IP Address#n）及び着ＩＰアドレス（IP Address#1〜IP Address#n）からなるマトリックステーブルに、パケットが到達するまでに通過するＩＰルータ２及びコアルータ３を記憶する形式で作成されている。また、この経路情報は、ＩＰネットワークＮを構成する各ＩＰルータ２及びコアルータ３が保有するルーチングテーブルにより構成されてもよい。
【００２３】
リンクの帯域管理情報とは、ＩＰルータ２及びコアルータ３のうち、ある２つのノード間を物理的に接続している回線毎に音声トラヒックのために使用可能な伝送帯域と、現在使用している伝送帯域を示す情報である。リンクの帯域管理情報の例を以下に示す。
0003774170.tif 000002
リンクの帯域管理情報は、Link No.と、Link No.で示される回線において伝送経路に対して音声トラヒックに使用可能な伝送帯域を示すLink帯域及び現在音声トラヒックに使用している伝送帯域を示す利用帯域とからなるｎ組のレコードで構成される。表において、Link No.1で識別されるリンク、すなわち、コアルータ３−１とＩＰルータ２−１の間では、音声トラヒックに使用可能なLink帯域は５０Ｍｂｐｓであり、そのうち、現在利用されている利用帯域は、２０Ｍｂｐｓであることを示している。
【００２４】
次に、図３を用いて、ＶｏＩＰの呼制御における音声トラヒック帯域保証方式を説明する。図３は、本実施の形態によるＶｏＩＰの呼制御における音声トラヒック帯域保証方式のフローを示す図である。ここでは、発ＶｏＩＰ端末をＶｏＩＰ端末１−１とし、着ＶｏＩＰ端末をＶｏＩＰ端末１−ｎとする。
【００２５】
まず、発ＶｏＩＰ端末１−１は、自ＶｏＩＰ端末１−１を識別する発識別番号と、着ＶｏＩＰ端末１−ｎを識別するための着識別番号と、音声トラヒックを送受信するためのポート番号（信号がどのアプリケーションのためのものであるかを識別するためにＴＣＰ上で使用される番号）を含む発呼要求信号（ＩＦ１０１）をＶｏＩＰ呼制御装置４へ送信する。発識別番号及び着識別番号は、電話番号、ＵＲＬ（Universal Resource Locator）、あるいは、ＩＰアドレスなどである。
【００２６】
ＶｏＩＰ呼制御装置４は、当該呼に呼識別番号を割り当て、発識別番号と着識別番号により内部に記憶しているデータベースから契約者情報を読み出し、当該呼に使用するコーディック種別を得る。さらに、着識別番号から内部に記憶しているデータベースを検索し、着ＩＰアドレスを得る。そして、呼識別番号にリンクさせて発ＩＰアドレス、着ＩＰアドレス及びコーディック種別を一時的に記憶する。発ＩＰアドレスは、発呼要求信号（ＩＦ１０１）の送信元アドレスから読み出した発ＶｏＩＰ端末１−１のＩＰアドレスである。ＶｏＩＰ呼制御装置４は、発ＩＰアドレス、着ＩＰアドレス及びコーディック種別を設定したリソース問い合わせ信号（ＩＦ１０２）をＣＡＣサーバ５へ送出する。
【００２７】
ＣＡＣサーバ５は、リソース問い合わせ信号（ＩＦ１０２）を受信すると、発ＩＰアドレス及び着ＩＰアドレスにより、内部に記憶しているトポロジ情報及び経路情報を検索し、ＶｏＩＰ端末１−１及びＶｏＩＰ端末１−ｎ間で送受信される音声トラヒックの通過ルートのLink No.を算出する（ステップＳ１０３）。
【００２８】
次に、通過ルートのLink No.により、内部に記憶しているリンクの帯域管理情報を検索して、全通過ルートの空伝送帯域をチェックする（ステップＳ１０４）。すなわち、ＣＡＣサーバ５は、使用されるコーディック種別から当該呼の音声トラヒックに必要な伝送帯域を求める。そして、ステップＳ１０３で算出した通過ルートのLink No.全てについて、リンクの帯域管理情報を検索し、Link帯域及び利用帯域を読み出して、音声トラヒックに必要な伝送帯域分の空があるかを判断する。
【００２９】
ＣＡＣサーバ５は、通過ルートのLink No.全てについて、伝送帯域に空があることを確認すると（ステップＳ１０５）、通過ルートの各Link No.に対応するリンクの帯域管理情報内の利用帯域に、当該呼の音声トラヒックに必要な伝送帯域を加算して、その結果を書き込む（ステップＳ１０６）。
【００３０】
続いて、ＣＡＣサーバ５は、ＶｏＩＰ呼制御装置４へリソース判定ＯＫ信号（ＩＦ１０７）を通知する。ＶｏＩＰ呼制御装置４は、リソース判定ＯＫ信号（ＩＦ１０７）を受信すると、当該呼の音声トラヒックの伝送帯域が確保できたことを認識し、着ＶｏＩＰ端末１−ｎへ呼識別番号、発ＩＰアドレス、音声トラヒックを送受信するための発ＶｏＩＰ端末１−１のポート番号及びコーディック種別を含む呼設定要求信号（ＩＦ１０８）を送信して、着呼を要求する。
【００３１】
ＶｏＩＰ端末１−ｎは、呼設定要求信号（ＩＦ１０８）を受信すると、呼出音をならす。ＶｏＩＰ端末１−ｎは呼を受け付けると、ＶｏＩＰ呼制御装置４へ呼を受け付けたことを通知する呼受け付け信号（ＩＦ１０９）を返送する。ＶｏＩＰ呼制御装置４は、発ＶｏＩＰ端末１−１へ呼が受け付けられたことを示す呼受け付け完了信号（ＩＦ１１０）を送信する。呼受け付け完了信号（ＩＦ１１０）には、呼識別番号が含まれる。
【００３２】
そして、呼に応答すると着ＶｏＩＰ端末１−ｎは、通知された発ＩＰアドレス及びポート番号に対して音声パスの確立を起動することにより、ＶｏＩＰ端末１−１及びＶｏＩＰ端末１−ｎ間においてＩＰネットワークＮを介した音声パスが確立されて指定されたコーディック種別による音声トラヒックの疎通が可能になり、通話中へ遷移する（ステップＳ１１１）。
【００３３】
通話が終了すると、ＶｏＩＰ端末１−１は、ＶｏＩＰ端末１−ｎとの音声パスを開放し、ＶｏＩＰ呼制御装置４へ呼識別番号を設定した呼開放信号（ＩＦ１１２）を送信する。ＶｏＩＰ呼制御装置４は、音声パスが開放され、呼の開放が要求されたことを認識する。ＶｏＩＰ呼制御装置４は、受信した呼識別番号により一次的に記憶していた着ＩＰアドレス及びコーディック種別を読み出し、リソース開放通知（ＩＦ１１３）によりＣＡＣサーバ５へ送信する。
【００３４】
ＣＡＣサーバ５は、リソース開放通知（ＩＦ１１３）を受信すると、全通過ルートに対して、現在の利用帯域から当該呼が使用していた音声トラヒックの伝送帯域を減算する（ステップＳ１１４）。すなわち、受信した発ＩＰアドレス及び着ＩＰアドレスにより、内部に記憶しているトポロジ情報及び経路情報を検索し、音声トラヒックの通過ルートのLink No.を算出する。そして、通過ルートの各Link No.に対応するリンクの帯域管理情報内の利用帯域から、当該呼の音声トラヒックが使用していた音声トラヒックの伝送帯域を減算して、その結果を書き込む。当該呼の音声トラヒックが使用していた音声トラヒックの伝送帯域は、コーディック種別から求められる。利用帯域の更新が正常に終了すると、応答信号（ＩＦ１１５）をＶｏＩＰ呼制御装置４へ返送する。
【００３５】
ＶｏＩＰ呼制御装置４は、応答信号（ＩＦ１１５）を受信すると、ＶｏＩＰ端末１−ｎへ呼の開放を指示するため、呼開放信号（ＩＦ１１６）を送信する。ＶｏＩＰ端末１−ｎは、呼開放信号（ＩＦ１１６）を受信すると、ＶｏＩＰ端末１−１との呼を開放する。また、ＶｏＩＰ呼制御装置４は、ＶｏＩＰ端末１−１へ呼の開放が完了したことを示す呼開放完了信号（ＩＦ１１７）を送信し、ＶｏＩＰ端末１−１は、呼を開放する。
【００３６】
なお、ステップＳ１０４において、全通過ルートの空伝送帯域をチェックする段階で、任意の１箇所以上のリンクにおいて、音声トラヒックのための空伝送帯域がないことが確認された場合、ＣＡＣサーバ５は、ＶｏＩＰ呼制御装置４へリソース判定ＮＧ信号を返送する。ＶｏＩＰ呼制御装置４は、リソース判定ＮＧ信号を受信すると、音声トラヒックの伝送帯域に空がないことを認識し、ＶｏＩＰ端末１−１へ呼開放信号を送信し、呼を開放する。
【００３７】
また、通話の終了時、ＶｏＩＰ端末１−ｎが呼識別番号を含む呼開放信号をＶｏＩＰ呼制御装置４へ送信し、ＶｏＩＰ端末１−１との音声パスの開放してもよい。ＶｏＩＰ呼制御装置４は、呼の開放が要求されたことを認識し、呼識別番号から内部に一時的に記憶していた発ＩＰアドレス及びコーディック種別を読み出して、着ＩＰアドレスとともにリソース開放通知によりＣＡＣサーバ５へ送信する。そして、ＣＡＣサーバ５は、図３のステップＳ１１４を実行し、ＶｏＩＰ呼制御装置４へ応答信号を返送する。
ＶｏＩＰ呼制御装置４は、応答信号を受信すると、ＶｏＩＰ端末１−１へ呼の開放を指示するため、呼開放信号を送信し、ＶｏＩＰ端末１−１は、ＶｏＩＰ端末１−ｎとの呼を開放する。また、ＶｏＩＰ呼制御装置４は、ＶｏＩＰ端末１−ｎへ呼の開放が完了したことを示す呼開放完了信号を送信し、ＶｏＩＰ端末１−ｎは、呼を開放する。
【００３８】
なお、ルータ２及びルータ３が使用するルーチングテーブルを登録する方法としては、自動でルーチングテーブルが変更されることのないスタティック・ルーチング、あるいは、ルータ間で経路情報を交換し合うことにより自動で変更されるダイナミック・ルーチングが使用される。
【００３９】
スタティック・ルーチングが使用される場合は、ＩＰネットワークＮを構成する時に、手動でルータ２、ルータ３へ固定のルーチングテーブルが入力される。このとき、ＣＡＣサーバ５にはルータ２、ルータ３へ設定されたルーチングテーブルに基づいた固定のトポロジ情報、経路情報が入力され、内部に記憶される。
【００４０】
ダイナミック・ルーチングが使用される場合は、ＯＳＰＦ（open shortest path first）などのＩＧＰ（Interior Gateway Protocol）を用いる。ＯＳＰＦとは、各ルータがネットワーク全体の構成を把握し、構成上の観点から最適な経路を選択することが可能なルーチング・プロトコルであり、ＩＰネットワークの構成に変更があった場合でも自動的に各ノードのルーチングテーブルが変更される。
ＩＰネットワークＮ、すなわち、ルータ２及びルータ３へＯＳＰＦが使用される場合は、ＣＡＣサーバ５にもＯＳＰＦが実装される。ＯＳＰＦが実装されるノード間ではＬＳＡ（Link-State Advertisement）情報が送受信され、各ノードがトポロジ情報を作成し、ＳＰＦ（shortest path first）アルゴリズムを用いてトポロジ情報からルーチングテーブルを作成する。ＬＳＡ情報とは、ルータがどのようにネットワークに接続されているかの接続情報や、インタフェースのコストなどの情報が含まれる。ＣＡＣサーバ５においても同様に、収集したＬＳＡ情報からトポロジ情報を作成し、作成したトポロジ情報に基づき、経路情報を作成する。
【００４１】
なお、上述のＶｏＩＰ端末１、ＩＰルータ２、コアルータ３、ＶｏＩＰ呼制御装置４及びＣＡＣサーバ５は内部に、コンピュータシステムを有している。そして、上述した動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＯＳや周辺機器等のハードウェアを含むものである。
【００４２】
また、「コンピュータ読み取り可能な記録媒体」とは、ＲＯＭの他に、磁気ディスク、光磁気ディスク、ＣＤ−ＲＯＭ、ＤＶＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００４３】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００４４】
【発明の効果】
本発明によれば、コネクションレス型ネットワークであるＩＰネットワーク上で実現されるＶｏＩＰの呼制御において、呼毎の音声トラヒックの通過ルートを把握することができるとともに、通過ルート上の音声トラヒックの伝送帯域を管理することができる。よって、ＶｏＩＰの音声トラヒックの帯域保証が可能となり、伝送遅延とパケットの欠落を防止して音声品質の劣化を防ぐ、という効果が得られる。
【図面の簡単な説明】
【図１】  本発明の一実施の形態によるＶｏＩＰの音声トラヒック帯域保証システムの構成を示すブロック図である。
【図２】  同実施の形態によるＩＰネットワークＮの構成図である。
【図３】  同実施の形態によるＶｏＩＰの呼制御における音声トラヒック帯域保証方式のフローを示す図である。
【符号の説明】
１−１、１−ｎ…ＶｏＩＰ端末
２−１、２−２、２−３、２−４…ＩＰルータ
３−１、３−２…コアルータ
４…ＶｏＩＰ呼制御装置
５…ＣＡＣサーバ
【図１】
0003774170.tif 000003
【図２】
0003774170.tif 000004
【図３】
0003774170.tif 000005